(57)【要約】【課題】ファンの振動を大きく減衰させ、ファンに起因する低周波の騒音を極めて小さくすることができるファン保持構造を提供する。【解決手段】軸流ファン２の吸引側及び吐出側の筒状のフレーム２ｄにそれぞれフランジ２ａ、２ａが設けられており、フレーム２ｄの外周面を包み、フランジ２ａ、２ａの間に介装させてある防振スポンジ１０を備える。防振スポンジ１０の上面及び下面には、それぞれに嵌合させる凹形状の取付枠１２、１２が設けられており、軸流ファン２に取り付けられた防振スポンジ１０の上面及び下面が、取付枠１２を介して筐体の天地両内面に挟持されて、軸流ファン２が筐体内に保持されるようにしてある。【選択図】図１
2008190434.tif 000002
【特許請求の範囲】
【請求項１】
ファンを筐体内に保持するファン保持構造において、
孔を有する防振スポンジを備え、
前記ファンが前記孔に嵌装されており、
前記防振スポンジの一部が前記筐体の一部に保持され、
前記防振スポンジの他部が前記筐体の一部に対向する他部に保持されるようにしてあることを特徴とするファン保持構造。
【請求項２】
前記ファンは筒状のフレームを有し、該フレームの両端にそれぞれフランジが設けられており、
前記フレームが前記孔に嵌装されており、両フランジの間に前記防振スポンジを介装させていることを特徴とする請求項１に記載のファン保持構造。
【請求項３】
前記防振スポンジの前記一部及び他部にそれぞれ嵌合させる凹形状の枠を有しており、
前記防振スポンジの前記一部及び他部は、前記枠を介して前記筐体内に保持されていることを特徴とする請求項１又は２に記載のファン保持構造。
【請求項４】
前記防振スポンジの一部及び他部にそれぞれ嵌合させる凹形状の防振ゴム枠と、
該防振ゴム枠に嵌合させる凹形状の枠と
を有し、
前記防振スポンジの一部及び他部は、前記防振ゴム枠及び前記枠を介して前記筐体内に保持されていることを特徴とする請求項１又は２に記載のファン保持構造。
【請求項５】
前記枠は前記筐体と一体に形成されていることを特徴とする請求項３又は４に記載のファン保持構造。
【請求項６】
前記枠は防振ゴムからなることを特徴とする請求項３又は４に記載のファン保持構造。
【請求項７】
前記枠又は前記防振ゴム枠と前記フランジとは間隙を有するように配設されていることを特徴とする請求項３又は４に記載のファン保持構造。
【請求項８】
前記防振スポンジは二分割されていることを特徴とする請求項１乃至７のいずれか一つに記載のファン保持構造。
【請求項９】
前記請求項１乃至８のいずれか一つに記載のファン保持構造を備える電子機器。
【発明の詳細な説明】
【技術分野】
【０００１】
本発明は、ファンを保持するファン保持構造及び該ファン保持構造を備える電子機器に関する。
【背景技術】
【０００２】
従来、パーソナルコンピュータ、ＤＶＤレコーダ及びプロジェクター等の電子機器には、部品を冷却するために空冷用ファンが設けられている。
特に、プロジェクターでは、光源に用いられる高輝度放電灯が、点灯時には、発光に伴い高温（最も高温になる部分で約１０００℃）になるので、空冷用ファンを排気孔に設けてプロジェクター筐体内に吸気孔から外気を吸引し、光源を冷却して排気孔から排熱及び排気するようにしている。
【０００３】
図８は従来の軸流ファン保持構造を示す正面方向からの斜視図である。
軸流ファン２は、羽根２ｃを回転させるモータ（図示せず）を固定する円筒状のフレーム２ｄの吸込側及び吐出側に矩形状のフランジ２ａ、２ａを設けており、フランジ２ａの四隅の取付用丸孔２ｂ、２ｂ、２ｂ、２ｂを利用して、片方（又は両方）のフランジを筐体５の排気孔の近傍内側にネジ３で固定されている。
【０００４】
ところで軸流ファンの振動に起因する騒音及び耳障りな音等を抑えるファン保持構造として以下の提案がある。
図９は従来の防振対策を施した軸流ファン保持構造を示す側断面図、図１０は防振ゴムの取り付けを示す組み立て構成図である。なお、図９では羽根を省略した。
図９に示す軸流ファン保持構造では、防振対策として軸流ファン２のフランジ２ａ、２ａ外周の下縁及び上縁に枠状の正面視凹字形をなす防振ゴム４、４を取り付けて筐体５に形成されている底面保持部５ａと天面保持部５ｂとで挟み込んでファンを保持するようにしている。
【０００５】
軸流ファン２は、回転によって振動するが、軸流ファン２を筐体５に直接ネジ止めする保持構造の場合、軸流ファン２を保持している筐体５に振動が伝播する。
また軸流ファン２を、防振ゴム４を介して筐体５の底面保持部５ａ及び天面保持部５ｂで挟持して保持する保持構造の場合、軸流ファン２の振動が減衰されてはいるが、防振ゴム４を介して筐体５にまで伝播する。
このような場合、筐体５から騒音が発生し又は筐体５が振動して発生する騒音は小さくても、ユーザーに不快感を与えることがある。
また、筐体５の振動で発生した騒音が騒音値としては大きくなくても、筐体５が共振して固有振動数の音のみが大きくなるような耳障りな音色となる場合もある。さらに、筐体５が振動している場合、筐体５を置いている台の構造及び材質によって、台自体の固有振動数の音が発生する場合もある。
【０００６】
特許文献１に示すファン保持構造では、軸流ファンの吸込側及び吐出側の両フランジ部の四隅に設けてある孔にゴム部材を挿入して、軸流ファンを支持する両側の支持部が、両フランジ部から突き出たゴム部材の両端を挟持して保持するようにしており、軸流ファンの振動を極力支持部に伝達させずに、低騒音化が図られている。
特許文献２に示す投射型映像表示装置では、軸流ファンが、振動抑制効果を有する合成樹脂製のホルダーを介して筐体に取り付けられており、軸流ファンに起因する騒音が低減されている。
【特許文献１】特開２００６−８４９１８号公報
【特許文献２】特開２００５−３５２１９５号公報
【発明の開示】
【発明が解決しようとする課題】
【０００７】
しかしながら従来の防振ゴム４を介して筐体５の底面保持部５ａ及び天面保持部５ｂで挟持して軸流ファンを保持するファン保持構造及び特許文献１のゴム材料で軸流ファンを保持するファン保持構造では、筐体及び机等の固有振動数（５００Ｈｚ以下）に近い低周波の振動をゴムの防振特性により効果的に防振することができず、５００Ｈｚ以下の低周波の振動を、より効果的に防振するには改善の余地がある。
また特許文献２では振動抑制効果を有するＰＢＴ（ポリブチレンテレフタート）樹脂製のホルダーで軸流ファンを保持して、５００Ｈｚから１０００Ｈｚの音を低減させているが、５００Ｈｚ以下の低周波の振動を低減させるには改善の余地がある。
【０００８】
本発明は、このような事情に鑑みてなされたものであって、その目的とするところは、ファンの外周を包む防振スポンジでファンを筐体内に保持する構成を備えることにより、ファンの振動を大きく減衰させ、ファンに起因する低周波の騒音を小さくすることができるファン保持構造を提供することにある。
【０００９】
また本発明の他の目的とするところは、ファンの筒状のフレームを包み、フレームの両端に設けたフランジ間に介装させる防振スポンジでファンを筐体内に保持する構成を備えることにより、ファンのフランジ間で防振スポンジを容易に固定でき、ファンの振動を大きく減衰させ、ファンに起因する低周波の騒音を小さくすることができるファン保持構造を提供することにある。
【００１０】
さらに本発明の他の目的とするところは、防振スポンジに嵌合させる凹形状の枠でファンを筐体内に保持する構成を備えることにより、筐体が枠を介して防振スポンジを挟持してファンを筐体内に保持し、ファンに起因する低周波の騒音を極めて小さくすることができるがファン保持構造を提供することにある。
【００１１】
本発明の他の目的とするところは、防振スポンジに嵌合する凹形状の防振ゴム枠に、重ねて嵌合させる凹形状の枠を介して防振スポンジを筐体で挟持し、ファンを保持する構成を備えることにより、筐体が両枠を介して防振スポンジを挟持してファンを筐体内に保持し、ファンの振動を極めて大きく減衰させ、ファンに起因する低周波の騒音を最小限に小さくすることができるファン保持構造を提供することにある。
【００１２】
本発明の他の目的とするところは、防振スポンジを固定する枠が筐体と一体に形成されている構成を備えることにより、防振スポンジを筐体に確実に挟持してファンを筐体内に保持し、ファンに起因する低周波の騒音を小さくすることができるファン保持構造を提供することにある。
【００１３】
本発明の他の目的とするところは、防振スポンジを固定する枠が防振ゴムからなる構成を備えることにより、ファンの振動を防振スポンジ及び防振ゴムで吸収し、ファンの振動を極めて大きく減衰させ、ファンに起因する低周波の騒音を最小限に小さくすることができるファン保持構造を提供することにある。
【００１４】
本発明の他の目的とするところは、枠又は防振ゴム枠とファンのフランジとが間隙を有するように配設される構成を備えることにより、ファンに外力が作用しても枠又は防振ゴム枠とフランジとは衝突することがなく、ファンに起因する低周波の騒音を小さくすることができるファン保持構造を提供することにある。
【００１５】
本発明の他の目的とするところは、防振スポンジが二分割されている構成を備えることにより、防振スポンジをファンの外周に容易に取り付けることができ、ファンに起因する低周波の騒音を小さくすることができるファン保持構造を提供することにある。
【００１６】
本発明の他の目的とするところは、前述の本発明のファン保持構造を備えることにより、ファンに起因する低周波の騒音を小さくすることができる電子機器を提供することにある。
【課題を解決するための手段】
【００１７】
本発明のファン保持構造は、ファンを筐体内に保持するファン保持構造において、孔を有する防振スポンジを備え、前記ファンが前記孔に嵌装されており、前記防振スポンジの一部が前記筐体の一部に保持され、前記防振スポンジの他部が前記筐体の一部に対向する他部に保持されるようにしてあることを特徴とする。
【００１８】
このような構成の本発明のファン保持構造では、防振スポンジの孔にファンが嵌り、防振スポンジがファンの外周を包む。防振スポンジの一部、例えば防振スポンジの上面が筐体の一部に圧接し、防振スポンジの他部、例えば防振スポンジの下面が筐体の一部に対向する他部に圧接して、筐体が防振スポンジを挟持し、ファンを筐体内に保持する。
ファンが回転し振動する場合、振動が防振スポンジを経て筐体に伝播する。防振スポンジは振動を吸収し、ファンの振動が大きく減衰する。防振スポンジは、共振周波数が相対的に低周波側にあるため、防振性に優れ、筐体又は机等の固有周波数に近い５００Ｈｚ以下の可聴域の低周波の振動を吸収する。
したがって、ファンから筐体への振動伝播が小さくなる。
【００１９】
本発明のファン保持構造は、前記ファンは筒状のフレームを有し、該フレームの両端にそれぞれフランジが設けられており、前記フレームが前記孔に嵌装されており、両フランジの間に前記防振スポンジを介装させていることを特徴とする。
【００２０】
このような構成の本発明のファン保持構造では、防振スポンジの孔にファンの筒状のフレームが嵌り、防振スポンジの内周壁がフレームの外周面を包み、フレームのフランジ間に防振スポンジが圧接して嵌る。防振スポンジの一部が筐体の一部に圧接し、防振スポンジの他部が筐体の一部に対向する他部に圧接して、筐体が防振スポンジを挟持し、ファンを筐体内に保持する。
ファンが回転し振動する場合、振動が防振スポンジを経て筐体に伝播する。防振スポンジは振動を吸収し、ファンの振動が大きく減衰する。防振スポンジは共振周波数が相対的に低周波側にあるため、防振性に優れ、筐体又は机等の固有周波数に近い５００Ｈｚ以下の可聴域の低周波の振動を吸収する。
したがって、本発明のファン保持構造は、ファンに防振スポンジを容易に固定し、ファンから筐体への振動伝播を小さくする。
【００２１】
本発明のファン保持構造は、前記防振スポンジの前記一部及び他部にそれぞれ嵌合させる凹形状の枠を有しており、前記防振スポンジの前記一部又は他部は、前記枠を介して前記筐体内に保持されていることを特徴とする。
【００２２】
このような構成の本発明のファン保持構造では、防振スポンジの一部及び他部にそれぞれ凹形状の枠が嵌る。筐体は、枠を介して防振スポンジを挟持してファンの上下方向及び回転軸方向への移動を制限し、ファンを筐体内に保持する。
ファンが回転し振動する場合、振動が防振スポンジ及び枠を経て筐体に伝播する。防振スポンジは振動を吸収し、ファンの振動が極めて大きく減衰する。
したがって、ファンから筐体への振動伝播が極めて小さくなる。
【００２３】
本発明のファン保持構造は、前記防振スポンジの一部及び他部にそれぞれ嵌合させる凹形状の防振ゴム枠と、該防振ゴム枠に嵌合させる凹形状の枠とを有し、前記防振スポンジの一部及び他部は、前記防振ゴム枠及び前記枠を介して前記筐体内に保持されていることを特徴とする。
【００２４】
このような構成の本発明のファン保持構造では、防振スポンジの一部及び他部にそれぞれ凹形状の防振ゴム枠が嵌り、防振ゴム枠に凹形状の枠が嵌る。筐体は、防振ゴム枠及び枠を介して防振スポンジを挟持してファンの上下方向及び回転軸方向への移動を制限し、ファンを筐体内に保持する。
ファンが回転し振動する場合、振動が防振スポンジ、防振ゴム枠及び枠を経て筐体に伝播する。防振スポンジ及び防振ゴム枠は振動を吸収し、ファンの振動が極めて大きく減衰する。
したがって、ファンから筐体への振動伝播が極めて小さくなる。
【００２５】
本発明のファン保持構造は、前記枠は前記筐体と一体に形成されていることを特徴とする。
【００２６】
このような構成の本発明のファン保持構造では、ファンの上下方向及び回転軸方向への移動を禁止してファンを筐体に確実に保持する。
【００２７】
本発明のファン保持構造は、前記枠は防振ゴムからなることを特徴とする。
【００２８】
このような構成の本発明のファン保持構造では、防振スポンジの一部及び他部にそれぞれ凹形状の防振ゴム枠又は二重の凹形状の防振ゴム枠が嵌る。筐体は、防振ゴム枠又は二重の防振ゴム枠を介して防振スポンジを挟持して、ファンを筐体内に保持する。
ファンが回転し振動する場合、振動が防振スポンジ及び防振ゴムを経て筐体に伝播する。防振スポンジ及び防振ゴムは振動を吸収し、ファンの振動が極めて大きく減衰する。
したがって、ファンから筐体への振動伝播が極めて小さくなる。
【００２９】
本発明のファン保持構造は、前記枠又は前記防振ゴム枠と前記フランジとは間隙を有するように配設されていることを特徴とする。
【００３０】
このような構成の本発明のファン保持構造では、ファンに外力が作用しても、ファンが枠又は防振ゴム枠と衝突しない。
【００３１】
本発明のファン保持構造は、前記防振スポンジは二分割されていることを特徴とする。
【００３２】
このような構成の本発明のファン保持構造では、ファンの外周に防振スポンジが上下方向から容易に当接する。
【００３３】
本発明の電子機器は、前述の本発明のファン保持構造を備えることを特徴とする。
【００３４】
このような構成の本発明の電子機器では、ファンが回転することにより、例えば筐体の排気孔から排気することにより筐体内を負圧にして、吸気孔から外気を吸引し、排気孔から排気する空気の流れが生じて部品を空冷する。本発明のファン保持構造に係る防振スポンジがファンの振動を吸収する。
【発明の効果】
【００３５】
本発明のファン保持構造は、ファンの外周を包む防振スポンジでファンを筐体内に保持しているので、ファンの振動を大きく減衰させ、ファンに起因する低周波の騒音を極めて小さくすることができるという効果を有する。
特に、防振スポンジは筐体及び机等の固有振動数に近い低周波の５００Ｈｚ以下の振動を除去することができるという効果を有する。
したがって、筐体及び机等が共振せず、低周波の騒音が発生しない。
【００３６】
本発明のファン保持構造は、ファンの筒状のフレームを包み、フレームの両端に設けたフランジ間に介装させる防振スポンジでファンを筐体内に保持しているので、ファンに防振スポンジを容易に固定することができ、ファンの振動を減衰させ、ファンに起因する低周波の騒音を極めて小さくすることができるという効果を有する。
【００３７】
本発明のファン保持構造は、防振スポンジの一部及び他部にそれぞれ嵌合させる凹形状の枠を有しているので、筐体は、枠を介して防振スポンジを挟持して、ファンの上下方向及び回転軸方向への移動を制限することができ、また、防振スポンジを伸縮させてファンの保持位置を筐体内で容易に変更することができるという効果を有する。
さらに、本発明のファン保持構造は、ファンの振動を減衰させ、ファンに起因する低周波の騒音を極めて小さくすることができるという効果を有する。
【００３８】
本発明のファン保持構造は、防振スポンジの一部又は他部に嵌合する凹形状の防振ゴム枠に、重ねて嵌合させる凹形状の枠を有しているので、ファンの振動を極めて大きく減衰させ、ファンに起因する低周波の騒音を最小限に小さくすることができるという効果を有する。
【００３９】
本発明のファン保持構造は、防振スポンジの枠は筐体と一体に形成されているので、防振スポンジを筐体に確実に保持してファンの振動を減衰させ、ファンに起因する低周波の騒音を極めて小さくすることができるという効果を有する。
【００４０】
本発明のファン保持構造は、防振スポンジの枠は防振ゴムからなるので、ファンの振動を防振スポンジ及び防振ゴムで吸収し、ファンの振動を極めて大きく減衰させ、ファンに起因する低周波の騒音を最小限に小さくすることができるという効果を有する。
【００４１】
本発明のファン保持構造は、枠又は防振ゴム枠とファンのフランジとは間隙を有するように配設されているので、ファンに外力が作用しても、枠又は防振ゴム枠とフランジとは衝突せず、直接ファンの振動が筐体に伝わることなく、ファンに起因する低周波の騒音を小さくすることができるという効果を有する。
【００４２】
本発明のファン保持構造は、防振スポンジが二分割されているので、防振スポンジをファンの外周に容易に取り付けることができ、ファンに起因する低周波の騒音を小さくすることができるという効果を有する。
したがって、本発明のファン保持構造は防振スポンジの取付作業性が向上する。
【００４３】
本発明の電子機器は、前述の本発明のファン保持構造を備えているので、ファンに起因する低周波の騒音を小さくすることができるという効果を有する。
したがって、本発明の電子機器はファンの音が気にならない。
【発明を実施するための最良の形態】
【００４４】
以下、図面に基づき、本発明によるファン保持構造の好適な実施の形態を説明する。
（実施の形態１）
図１は実施の形態１に係るファン保持構造を示す組み立て構成図であり、（ａ）は軸流ファンを示す正面方向からの斜視図、（ｂ）は防振スポンジを示す正面方向からの斜視図、（ｃ）は軸流ファンに防振スポンジを取り付けた状態を示す正面方向からの斜視図、（ｄ）は防振スポンジの取付枠を示す正面方向からの斜視図、図２はファン保持構造を示す側断面図である。なお、図２においては羽根を省略した。
軸流ファン２自体は、従来例と同様であり、回転軸に羽根２ｃが取り付けられたモータ（図示せず）が円筒状のフレーム２ｄに固定されており、フレーム２ｄの前後に矩形平板状のフランジ２ａ、２ａを備える。
【００４５】
防振スポンジ１０は正面視正方形の直方体状をなし、中心に孔１０ａが形成されており、孔１０ａの内径は、円筒状のフレーム２ｄの外径よりも少し小さく形成されている。防振スポンジ１０の奥行きは、前後のフランジ２ａ、２ａ間の距離と同程度よりも少し厚く形成されており、防振スポンジ１０の外形はフランジ２ａの外形よりも少し大きく形成されている。
【００４６】
防振スポンジ１０の伸縮性を利用して、孔１０ａの内径を広げ、防振スポンジ１０の奥行きを縮めて、防振スポンジ１０の内周壁１０ｂを軸流ファン２の外周に合わせて圧接させ、フランジ２ａ、２ａ間に嵌めこんで介装させたとき、防振スポンジ１０の内周壁１０ｂがフレーム２ｄの外周面に圧接し、防振スポンジ１０の前面及び後面が前後のフランジ２ａ、２ａ面に圧接する。
【００４７】
軸流ファン２のフレーム２ｄとフランジ２ａとの接合部は、強度向上のためにリブで補強されている場合がある。この場合には、リブに対応する箇所に適合した形態で防振スポンジ１０を一部カットするか、切り込みを入れればよい。
図１（ｂ）で示す一体形状の防振スポンジ１０が好ましいが、作業性を高めるために防振スポンジを上下２分割にしてもよい。
【００４８】
正面視凹字形をなす取付枠１２、１２が筐体１４の底面部１４ａ及び天面部１４ｂに両面テープで固定されており、取付枠１２、１２に防振スポンジ１０の上部及び下部が圧接するようにしてある。
【００４９】
両面テープとしては、特に粘着性ゲル状物質を成形した両面粘着ピースを使用するのがよい。
取付枠１２は、軸流ファン２の上下方向及び回転軸方向への移動を制限し、軸流ファン２を筐体１４内に保持する。
【００５０】
筐体１４内に固定される取付枠１２は、フランジ２ａと適宜の隙間を確保することによって、軸流ファン２のフランジ２ａと取付枠１２とが直接に衝突しないようにしている。
したがって、輸送時の筐体の落下及び筐体の振動などにおいて、軸流ファン２自体の振動の振幅が大きくなった場合でも、フランジ２ａと取付枠１２とが衝突することがない。
【００５１】
防振スポンジ１０の寸法は軸流ファン２の加振振動数及び筐体１４の固有振動数に基づく防振効果を考慮して決定されるが、防振スポンジ１０の奥行き方向の寸法は、軸流ファン２の奥行き方向（回転軸方向）のフランジ２ａ、２ａ間に挿入できる寸法であるために形態上決まり、軸流ファン２の上下方向及び横方向の防振スポンジ１０の寸法は、筐体１４内の天地両面間の高さ及び受圧面積を考慮して決定される。
防振スポンジ１０の材質及び密度によって、防振効果のあるサイズは異なるが、防振スポンジ１０のサイズが大きいほど軸流ファン２から筐体１４への振動伝播が低減される。また、防振スポンジ１０の密度が低いほど、振動伝播が低減される。
【００５２】
軸流ファン２を取り付ける筐体１４の固有振動数及び軸流ファン２自体の固有振動数を考慮し、さらに軸流ファン２を保持する保持力を考慮して最適な防振スポンジ１０の材質、密度及びサイズが実験によって選定される。
防振スポンジ１０の材料は、ウレタンフォーム、メラミンフォーム、発泡ゴム系スポンジ等であり、主材料を発泡させている材料であって、或る程度のクッション性がある材料であればよい。特に防振スポンジ１０としては、日東化工株式会社製ポロン（商品名）を使用する。
このような防振スポンジ１０は、５００Ｈｚ以下の可聴域でゴムよりも相対的に低周波の振動を除去することができる。
【００５３】
次に実施の形態１の作用について説明する。
図２を参照して、軸流ファン２が回転し振動する場合、振動が防振スポンジ１０を経て筐体１４に伝播するが、防振スポンジ１０が振動エネルギーを熱エネルギーに変換して振動を吸収し、振動が大きく減衰する。特に、防振スポンジ１０は５００Ｈｚ以下の可聴域の低周波の振動を吸収する。
【００５４】
ところで、軸流ファン２からの加振力Ｐと、防振スポンジ１０を介して筐体１４に伝わった力Ｆとの割合を振動伝達率τと呼び、次式で表される。
τ＝Ｐ／Ｆ＝１／｜１−（ｆ／ｆn ）2 ｜
ｆ／ｆn は振動数比と呼び、防振効果が得られるのは振動伝達率τが１以下の場合であり、振動数比は√２以上が必要となる。なお、ｆは軸流ファン２及び筐体１４の振動周波数（Ｈｚ）であり、ｆnは防振した場合の固有振動数（Ｈｚ）である。
【００５５】
振動数比は√２以上が必要であるが、大きすぎると支持物の自重が支えられなくなるため、通常は２〜３程度に設定されるが、防振スポンジ１０は軽量であるため、振動数比を大きく設定してもよい。
【００５６】
防振した場合の固有振動数は、一般的に防振材の固有振動数が低いほど低くなり防振効果が高くなるが、防振スポンジ１０は、減衰率の周波数依存性において固有振動数がゴム及びゲルよりも低周波側にあり、また軽量であるため、軸流ファン２自体の加振振動数に対する防振スポンジ１０で防振した場合の固有振動数との振動数比を容易に√２以上にして、振動伝達率が１以下で防振効果を容易に得ることができる。
【００５７】
防振スポンジ１０の大きさは、防振しようとする部材、例えば軸流ファン２のフレーム径、フレーム長（具体的にはフランジ２ａ、２ａ間の距離）及び筐体内の高さ等の大きさを考慮して、防振スポンジ１０の裁断寸法を決め、防振スポンジ１０に荷重のかかる受圧面積（ｍｍ2 ）を求め、軸流ファン２の重量と受圧面積から防振スポンジ１０が受ける圧縮応力（Ｎ／ｍｍ2）を求める。軸流ファン２のような静的機械の場合は機械補正率が通常１．０であり（補正圧縮応力＝圧縮応力×機械補正率）、求めた補正圧縮応力が防振スポンジ１０の許容圧縮応力内であることをカタログ値で確認し、許容圧縮応力を超えている場合は、受圧面積を広くして圧縮応力を下げる。
【００５８】
防振ゴムの場合、固有振動数−圧縮応力の特性図から例えば圧縮応力が、０．１〜１（Ｎ／ｍｍ2 ）に対応する固有振動数を選定して振動伝達率を１以下にするようにしているが、固有振動数の選択範囲は概ね８Ｈｚ〜２５Ｈｚ程度である。
これに対して、防振スポンジ１０の場合、例えば許容圧縮応力が０．０２〜０．７２（Ｎ／ｍｍ2 ）に対応する、防振ゴムよりも相対的により低い固有振動数を選定することができ、振動伝達率を１以下にして、より防振効果を高くすることができる。
【００５９】
例えば、固有振動数が５００Ｈｚに近い筐体及び机等の共振を防止する場合には、概ね５００Ｈｚ＞√２・ｆn の関係式を満足すれば防振効果を期待することができるが、防振スポンジ１０では許容圧縮応力が低くても他の防振材に比べて相対的に、より低いｆnを選定できるので防振効果が優れている。
さらに、軸流ファン２の回転数が、例えば１８００ｒｐｍの場合には、軸流ファン２の加振周波数は概ね３０Ｈｚ程度であり、３０Ｈｚ＞√２・ｆn の関係をも満足する防振材を選択することになるが、防振ゴムでは防振スポンジ１０よりも固有振動数の選択範囲が相対的に高い周波数にあるため、適宜の防振ゴムの選択が難しい。
【００６０】
したがって、実施の形態１に係るファン保持構造は、防振スポンジ１０の振動減衰効果が極めて大きいので、軸流ファン２から筐体１４に伝播する振動低減効果を大きくすることができる。
しかも、実施の形態１に係るファン保持構造では、軸流ファン２のフランジ２ａ、２ａの内側に防振スポンジ１０を配置しているために、軸流ファン２の回転軸方向で、軸流ファン２以外のスペースを必要としないようにできる。
したがって、実施の形態１は、軸流ファン２の保持のために空気流を遮る構造がないので、冷却効果の損失がなく、また省スペースで軸流ファン２を保持することができる。
【００６１】
このように実施の形態１に係るファン保持構造が、軸流ファン２から筐体１４への振動伝播を抑える場合、筐体１４の振動音（固有振動数の音が一番大きく発生する）及び騒音値を低減することができ、また耳障りな音（特定周波数だけ騒音値が高い騒音）を低減することができる。さらに筐体１４が振動している場合、筐体１４を置いている台も振動する場合があり、ユーザーに不快感を与えるが、実施の形態１に係るファン保持構造では、ユーザーに不快感を与えることがない。
また実施の形態１に係るファン保持構造では、取付枠１２とフランジ２ａと適宜の隙間を確保しているので、筐体の落下及び輸送途上で筐体に振動が加わる場合など、軸流ファン２に外力が働いた場合でも、軸流ファン２と筐体１４とが衝突することがなく、軸流ファン２の軸受部の損傷、軸流ファン２の故障、性能劣化及び異音の発生等を招くことがなくなる。
【００６２】
なお、実施の形態１に係る取付枠１２は筐体１４と同材料であり、例えば合成樹脂であるが、取付枠１２を防振ゴムで成型してもよい。この場合、防振スポンジ１０及び防振ゴムの振動伝播の減衰効果がより大きくなる。
【００６３】
（実施の形態２）
実施の形態１は取付枠１２と筐体１４とを別体にしたが、実施の形態２では同じ材料であり、例えば合成樹脂にして一体成型されたものである。また取付枠１２及び筐体１４は金属製でもよいが、その場合には取付枠１２を溶接して固定する。
図３は実施の形態２に係るファン保持構造を示す側断面図である。
実施の形態２に係るファン保持構造は、筐体１５の底面部１５ａに取付枠１６ａが一体的に形成され、天面部１５ｂに取付枠１６ｂが一体的に形成されている。取付枠１６ａ、１６ｂは、図１（ｄ）に示す形状と同じ形状であり、正面視及び縦断面視凹字形をなしている。
【００６４】
さらに防振スポンジ１０の上端部及び下端部を覆う枠部材１８ａ、１８ｂが設けられている。取付枠１６ａは枠部材１８ａを囲って嵌合させ、取付枠１６ｂは枠部材１８ｂを囲って嵌合させるようにしてある。枠部材１８ａ、１８ｂは、防振ゴムで形成されており、図３に示すように、フランジ２ａ、２ａと隙間を有するように配設されている。
【００６５】
このように実施の形態２は、防振スポンジ１０と防振ゴム製の枠部材１８ａ、１８ｂとを介して、軸流ファン２が筐体１５の取付枠１６ａ、１６ｂで挟持されているので、防振スポンジ１０が軸流ファン２による低周波の振動を吸収すると共に、防振ゴム製の枠部材１８ａ、１８ｂが軸流ファン２の振動を吸収する。
したがって、実施の形態２に係るファン保持構造は、軸流ファン２の振動伝播の減衰効果をより大きくすることができる。
【００６６】
（実施の形態３）
フランジのない軸流ファンの場合は、軸流ファンのフレームを二分割の防振スポンジで挟持する。
図４は実施の形態３に係るファン保持構造を示す正面図、図５はファン保持構造を示す部分側断面図である。
実施の形態３に係る防振スポンジ２０ａ、２０ｂは中心に孔が形成された角柱状の防振スポンジを二分割したものであり、軸流ファン２の円筒状のフレーム２ｄよりも小口径の半丸孔２２、２２を有し、内周壁２２ａが形成されている。内周壁２２ａの周面に、円筒状のフレーム２ｄの外周面と圧接可能な溝状の凹部２４が形成されている。
【００６７】
防振スポンジ２０ａの下端部及び防振スポンジ２０ｂの上端部は、それぞれ実施の形態２と同様の筐体１５の底面部１５ａに形成されている取付枠１６ａ及び天面部１５ｂに形成されている取付枠１６ｂと嵌合するようにしてある。
このような実施の形態３に係るファン保持構造では、取付枠１６ａ、１６ｂが、軸流ファン２を防振スポンジ２０ａ、２０ｂで挟持して保持する。
したがって、実施の形態３に係るファン保持構造は、防振スポンジ２０ａ、２０ｂが軸流ファン２の振動を吸収して除去することができる。
【００６８】
図６は防振スポンジの変形例を示す正面方向からの斜視図である。
実施の形態１乃至３では軸流ファンを例に挙げて説明したが、変形例は、軸方向から吸い込み、軸と直角方向に送風するファンに対応して、防振スポンジの形態を変えたものであり、ファンの送風方向により適宜形態を変更することができる。
図６に示す変形例では、角柱状の防振スポンジ２６の中心に孔２６ａを形成して周面壁２６ｂを形成すると共に、側部に開口部２６ｃを設けて横方向に送風可能にしてある。
防振スポンジ２６をファンのフレームに取り付けて、筐体内に保持するファン保持構造及び作用効果は実施の形態１乃至３と同様であり、詳細な説明は省略する。
【００６９】
実施の形態１乃至３では防振部材として防振スポンジ１０を使用したが、防振スポンジ１０に代えて、シリコン系、ウレタン系、スチレン系及びオレフィン系のゲルを使用してもよい。ゲルは防振ゴムと防振スポンジの中間の周波数を効果的に除去することができる。
またゴムで作製した枠の中に粉体、液体等を入れたものが防振部材として使用できる。
【００７０】
（実施の形態４）
実施の形態４は、実施の形態１乃至３のファン保持構造を投射型映像表示装置に適用したものである。
図７は実施の形態１乃至３に係る本発明のファン保持構造を備える投射型映像表示装置を示す概略図である。
投射型映像表示装置３０は、本発明のファン保持構造を備え、軸流ファン３２、３２が筐体３０ａの一方の側部の排気孔３０ｂ、３０ｂにそれぞれ近接して横並びに二個設けられており、他方の側部に吸気孔３０ｃ、３０ｃが横並びに二個設けられている。
吸気孔３０ｃ、３０ｃの筐体３０ａ内側に、それぞれフィルタ３０ｄ、３０ｄが設けられており、筐体３０ａに吸引する外気から塵埃が除去されるようにしている。
【００７１】
投射型映像表示装置３０は、筐体３０ａ内に、ランプバルブ３４を反射鏡３６に取り付けた構造の高輝度放電灯３８と、高輝度放電灯３８の光をカラーホイール部４０に集光するコンデンサーレンズ４２と、ＲＧＢの三原色に区分けされたカラーホイール部４０を通過した各単色光の照度分布を均一にするロッドレンズ４４と、実像をそのまま伝達するリレーレンズ部４６と、各単色光と同期して単色の映像を作り出して時分割フルカラー表現をする反射型の映像表示素子４８と、投射レンズ５０とを備えている。
【００７２】
このような投射型映像表示装置３０では、ランプバルブ３４より発光された白色光は、コンデンサーレンズ４２により、カラーホイール部４０上のカラーフィルタを透過して、スクリーン上の品位を向上させる為のロッドレンズ４４に集光する。ロッドレンズ４４及びリレーレンズ部４６を通過した光は、映像表示素子４８によって映像信号に応じて選択的に反射する。この反射光を投射レンズ５０がスクリーンに結像し、映像を表示する。
【００７３】
実施の形態４では、映写中、軸流ファン３２、３２が回転することにより、吸気孔３０ｃ、３０ｃから外気を吸引し排気孔３０ｂ、３０ｂから排気する空気の流れが生じており、高輝度放電灯３８を空冷する。本発明のファン保持構造に係る防振スポンジが、軸流ファン３２の振動を効果的に吸収する。
したがって、実施の形態４に係る投射型映像表示装置３０は、低騒音を実現し、映写中も軸流ファン３２の音が気にならないようにすることができる。
【００７４】
なお、実施の形態４では、本発明のファン保持構造を備える映像表示装置として、カラーホイール部を有する投射型映像表示装置を例に挙げたが、これに限らず、例えば、背後から光りを当て、液晶シャッターと三原色フィルタを組み合わせた液晶表示パネル（映像表示部）を透過して拡大投映することにより大画面を得る方式の液晶プロジェクターでもよい。
また本発明のファン保持構造は、パーソナルコンピュータ及びＤＶＤレコーダ等の空冷用のファンを備える電子機器に適用して、ファンの音が気にならないようにすることができる。
【００７５】
実施の形態１乃至４では軸流ファンを例に挙げて説明したが、本発明のファン保持構造は、これに限らず、送風機に広く適用することができる。
【図面の簡単な説明】
【００７６】
【図１】実施の形態１に係るファン保持構造を示す組み立て構成図である。
【図２】ファン保持構造を示す側断面図である。
【図３】実施の形態２に係るファン保持構造を示す側断面図である。
【図４】実施の形態３に係るファン保持構造を示す正面図である。
【図５】ファン保持構造を示す部分側断面図である。
【図６】防振スポンジの変形例を示す正面方向からの斜視図である。
【図７】実施の形態１乃至３に係る本発明のファン保持構造を備える投射型映像表示装置を示す概略図である。
【図８】従来の軸流ファン保持構造を示す正面方向からの斜視図である。
【図９】従来の防振対策を施した軸流ファン保持構造を示す側断面図である。
【図１０】防振ゴムの取り付けを示す組み立て構成図である。
【符号の説明】
【００７７】
２、３２  軸流ファン（ファン）
２ａ  フランジ
２ｄ  フレーム
１０、２０ａ、２０ｂ、２６  防振スポンジ
１０ａ、２６ａ  孔
１０ｂ、２２ａ、２６ｂ  内周壁
１２、１６ａ、１６ｂ  取付枠（枠）
１４、１５、３０ａ  筐体
１８ａ、１８ｂ  枠部材（防振ゴム枠）
３０  投射型映像表示装置（電子機器）
【図１】
2008190434.tif 000003
【図２】
2008190434.tif 000004
【図３】
2008190434.tif 000005
【図４】
2008190434.tif 000006
【図５】
2008190434.tif 000007
【図６】
2008190434.tif 000008
【図７】
2008190434.tif 000009
【図８】
2008190434.tif 000010
【図９】
2008190434.tif 000011
【図１０】
2008190434.tif 000012